(57)【要約】      （修正有）【課題】ノート型パソコンの蓋部分に安定装着し、留めた原稿が安定し、軽量で折り畳み可能なペーパーホルダーを提供する。【解決手段】原稿を安定させるアーム２を有するホルダーを、吸盤５を２個縦に配列することにより、ホルダーの装着を安定させる。ホルダーを挟み式留め具側と吸盤側とに独立させ、接合器具とホルダー装着時の傾斜でのテコの応用により、二つのホルダーを一つのホルダーとして安定させると同時に折り畳むことを可能にする。ホルダーやアームの大きさをＡ４サイズの原稿程度にとどめ、素材を発泡スチロールなどの軽微なものとし軽量化を図る。【選択図】図１０
0003141043.tif 000002
【実用新案登録請求の範囲】
【請求項１】
発泡スチロールなどの軽量素材を縦軸ボディとし、吸盤を上下に２個有することにより、ノート型パソコンの蓋部分（ディスプレイの裏側）への固定力、装着安定度を高めたことを特徴とするペーパーホルダー。
【請求項２】
発泡スチロールなどの軽量素材を縦軸ボディとしたペーパーホルダーに、縦軸ボディと同じ素材の横軸アームを縦軸ボディの左右に有することにより、ペーパーが丸まることや波打つことを防止すること特徴とするペーパーホルダー。
【請求項３】
上記のペーパーホルダーの縦軸ボディに横軸アームが重なることを可能とし、縦軸ボディを上部クリップ側と下部吸盤側とに分離させ、接続器具で連結装着することにより折り畳むことを可能とし、未使用時にコンパクトに収納することを特徴とするペーパーホルダー。
【考案の詳細な説明】
【技術分野】
【０００１】
本考案は、ノート型パソコンの蓋部分（ディスプレイの裏側）への取付けを主としたペーパーホルダーに関するものである。
【背景技術】
【０００２】
パソコン用ペーパーホルダーは従来、立て掛け式のものからパソコン自体に取り付け、パソコンの横のスペースに原稿などが配置可能なスペースをもつデスク上での実用に共されている。
【０００３】
実用のパソコン用ペーパーホルダーは、大きさや装着方法などから、カバンに入れての持ち運びや出し入れには適さず、使用場所を特定しないノート型パソコンへの簡易装着においては実用上十分である。
【０００４】
特許公開平１０−２３４４８１では、屈曲自在な杆体に吸盤と挟み式留め具を有する原稿ホルダーがパソコンへの簡易装着とコンパクトな持ち運びを可能にしている。しかし、屈曲自在な杆体は短く、Ａ４サイズの原稿を保持してパソコンを使用するには不十分であり、吸盤１個での原稿保持は安定度に欠ける。また、挟み式留め具で原稿を挟むだけの保持では、原稿が丸まったり、揺れたりと不安定な状態になるという欠点があった。
【０００５】
この改善策としての実装形態での説明図が図１０である。Ａ４サイズの縦型原稿にも対応可能となるように、原稿を挟み式留め具４から、ノート型パソコンの蓋部分（ディスプレイの裏側）に装着する吸盤５までのペーパーホルダーの軸の長さを、Ａ４縦型サイズの長さ程度にする。原稿の安定度を高めるために軸の左右にアーム２（横軸）を付ける。軸（以下縦軸）が長くなり、アーム２が付加されたことによる縦軸の安定を図るため、吸盤５を縦に２個使用する。また、コンパクトに持ち運びもできるように、のアーム２が縦軸に重なるようにし、縦軸をクリップ側１と吸盤側７の二つに分け、接続器具６を取り付けることにより、二つに折り畳むことを可能にした。接続器具６も軽微なビニール状のテープなどにし、独立した上下二つのホルダー軸の接点が、ノート型パソコンの蓋の傾斜によって、テコのようにテープが自然に引っ張られ、独立した二つのホルダー軸が安定し軽量化を可能にした。
【特許文献１】特許公開平−２３４４８１号公報
【考案の開示】
【考案が解決しようとする課題】
【０００６】
解決しようとする問題点は、ノート型パソコンに簡単に装着可能な軽量コンパクトで、原稿保持の安定度が高いペーパーホルダーを可能とする点である。
【課題を解決するための手段】
【０００７】
本考案は、ノート型パソコンのディスプレイの上方に原稿を位置するために、ノート型パソコンの蓋部分（ディスプレイの裏側）にペーパーホルダーが装着可能となるよう、ペーパーホルダーに吸盤を取り付ける。ペーパーホルダーの安定度を高めるため、吸盤２個を縦に配列する。また、挟み式留め具で留めた原稿の安定度を高めるため、ホルダー縦軸の左右にアーム横軸を取り付ける。軽量化を図るため、ペーパーホルダーとアームの素材を発泡スチロールなどとする。コンパクトにするため、アーム横軸の中心にホルダー縦軸と接続し、支点として回転可能な接続器具を取り付け、アームがホルダーに重なり合わせるようにする。ホルダー縦軸を上挟み式留め具側と下吸盤側とに独立させ、接続器具を取り付けることによりコンパクトに折り畳むことを可能にした。接続器具も軽微なビニール状のテープにし、独立した上下２つのホルダー軸の接点が、ノート型パソコンの蓋の傾斜によって、テコようにテープが自然に引っ張られ、独立した２つのホルダー軸が安定することなどを特徴とする。
【考案の効果】
【０００８】
本考案のペーパーホルダーは、軽微な素材によって構成され、ホルダーの安定と原稿の安定に優れているという利点がある。
【考案を実施するための最良の形態】
【０００９】
ノート型パソコンの蓋の部分に装着するため、出来るだけ軽量となるよう発泡スチロールなどの素材を使用し、吸盤や挟み式留め具の幅とＡ４サイズの長さ程度の薄い軸に、吸盤２個を取付け安定させ、原稿を留める軽微な挟み式留め具とアームにより原稿を安定させ、持ち運びが可能となるようにホルダー軸を二つに独立させ、テープなどで接続させることでコンパクトに折り畳むことを可能にした。
【実施例１】
【００１０】
図９は、本考案のペーパーホルダーをノート型パソコンの蓋の部分に吸盤で装着し、横型原稿１０をクリップ４で留め、アーム２で原稿を安定させている状態を正面側からみた斜視図である。１はペーパーホルダー挟み式留め具側縦軸、６は接合器具、８はディスプレイである。
【実施例２】
【００１１】
図１０は、本考案のペーパーホルダーをノート型パソコンの蓋９に吸盤５で装着し、縦型原稿１０をクリップ４で留め、アーム２で安定させている状態を後ろ側からみた斜視図である。１はペーパーホルダー挟み式留め具縦軸、３は回転可能な接続器具、７はペーパーホルダー吸盤側縦軸である。
【００１２】
このように本考案のペーパーホルダーは、従来のホルダーよりも、ホルダーの装着安定と原稿の安定を可能にした。
【００１３】
図６や図７の実施例のように、ノート型パソコンのディスプレイの上の空間を利用して、ディスプレイの表示と原稿を見比べることが可能であり、収納装着が極めて簡単可能な事から、利用対象の拡大におおいに役立つ。
【産業上の利用可能性】
【００１４】
従来、パソコンは屋内で置き場所が固定していた。ノート型パソコンが開発され、場所の限定が無く利用できるようになった。例えば公共の場所、車中などノート型パソコンの外形面積のスペースが確保されれば使用することは可能となったが、原稿を置くスペースは無く、原稿を安定させた状態で見ながらパソコンを使用することは出来なかった。本考案のペーパーホルダーは、空間を利用しているのでスペースを必要とせず、装着後の原稿を安定させ、軽微に作製でき、持ち運びが簡単なことから、ノート型パソコン専用のペーパーホルダーとして、またクリップを前後に取り外し可能にすることにより、吸盤が使用できるものに対してのペーパーホルダーとしての利用が見込まれる。
【図面の簡単な説明】
【００１５】
【図１】ペーパーホルダー表側の平面図である。
【図２】ペーパーホルダー裏側の平面図である。
【図３】ペーパーホルダー側面の平面図である。
【図４】ペーパーホルダーのアームを横に開いた斜視図である。
【図５】ペーパーホルダーのアームを縦に閉じた斜視図である。
【図６】ペーパーホルダーのアームを閉じ、縦軸を折り畳みコンパクトにした斜視図である。
【図７】ペーパーホルダーをノート型パソコンに装着し、正面から見た斜視図である。
【図８】ペーパーホルダーをノート型パソコンに装着し、原稿を横にして留め、正面から見た斜視図である。（実施例１）
【図９】ペーパーホルダーをノート型パソコンに装着し、後ろ側から見た斜視図である。
【図１０】ペーパーホルダーをノート型パソコンに装着し、原稿を縦にして留め、後ろ側から見た斜視図である。（実施例２）
【符号の説明】
【００１６】
１    ペーパーホルダー挟み式留め具側縦軸
２    アーム横軸
３    回転可能な接続器具
４    着脱可能挟み式留め具
５    吸盤
６    接続器具
７    ペーパーホルダー吸盤側縦軸
８    ディスプレイ
９    ノート型パソコンの蓋（ディスプレイの裏側）
１０    原稿
【図１】
0003141043.tif 000003
【図２】
0003141043.tif 000004
【図３】
0003141043.tif 000005
【図４】
0003141043.tif 000006
【図５】
0003141043.tif 000007
【図６】
0003141043.tif 000008
【図７】
0003141043.tif 000009
【図８】
0003141043.tif 000010
【図９】
0003141043.tif 000011
【図１０】
0003141043.tif 000012
【手続補正書】
【提出日】平成19年11月22日(2007.11.22)
【手続補正１】
【補正対象書類名】実用新案登録請求の範囲
【補正対象項目名】請求項１
【補正方法】変更
【補正の内容】
【請求項１】
発泡スチロールなどの軽量素材を縦軸ボディとし、吸盤を上下に２個有することにより、ノート型パソコンの蓋部分への固定力、装着安定度を高めたことを特徴とするペーパーホルダー。
【手続補正２】
【補正対象書類名】実用新案登録請求の範囲
【補正対象項目名】請求項３
【補正方法】変更
【補正の内容】
【請求項３】
ペーパーホルダーの縦軸ボディに横軸アームが重なることを可能とし、縦軸ボディを上部クリップ側と下部吸盤側とに分離させ、接続器具で連結装着することにより折り畳むことを可能とし、未使用時にコンパクトに収納することを特徴とする請求項１又は２のいずれかに記載のペーパーホルダー。
【手続補正３】
【補正対象書類名】実用新案登録請求の範囲
【補正対象項目名】請求項２
【補正方法】変更
【補正の内容】
【請求項２】
発泡スチロールなどの軽量素材を縦軸ボディとしたペーパーホルダーに、縦軸ボディと同じ素材の横軸アームを縦軸ボディの左右に有することにより、ペーパーが丸まることや波打つことを防止することを特徴とする請求項１記載のペーパーホルダー。